(57)【特許請求の範囲】
【請求項１】
ラインレーザー装置と、レンジファインダと、を備える測定工具であって、
前記ラインレーザー装置と前記レンジファインダの一方の上に位置し、前記ラインレーザー装置と前記レンジファインダとが重畳配置される停止手段を備え、
前記停止手段が前記ラインレーザー装置に位置する場合は、前記停止手段は、前記ラインレーザー装置の両側面の縁部に位置する隆起部を備え、前記隆起部の間の距離は前記レンジファインダの幅と同等であり、前記レンジファインダを前記隆起部の間に係合させ、
前記停止手段が前記レンジファインダに位置する場合は、前記停止手段は、前記レンジファインダの両側面の縁部に位置する隆起部を備え、前記隆起部の間の距離は前記ラインレーザー装置の幅と同等であり、前記ラインレーザー装置を前記隆起部の間に係合させ、
前記レンジファインダは、第２のレーザーモジュールと、レンジングモジュールと、デジタル表示モジュールとを備え、
前記第２のレーザーモジュールは、前記レンジファインダの出射面の一端に位置し、前記レンジファインダの出射面に面して設置され、
前記レンジングモジュールは、前記第２のレーザーモジュールの後に位置し、
前記デジタル表示モジュールは、前記レンジファインダのハウジングに位置し、
前記停止手段が前記ラインレーザー装置に位置する場合、前記停止手段は、前記ラインレーザー装置の両側面の縁部に位置する、切欠口を有する隆起部を備え、前記切欠口の幅は前記レンジファインダの幅と同等であり、前記レンジファインダが前記切欠口に収容され、前記レンジファインダと前記ラインレーザー装置とを垂直に配置させ、
前記停止手段が前記レンジファインダに位置する場合、前記停止手段は、前記レンジファインダの両側面の縁部に位置する、切欠口を有する隆起部を備え、前記切欠口の幅は前記ラインレーザー装置の幅と同等であり、前記ラインレーザー装置が前記切欠口に収容され、前記レンジファインダと前記ラインレーザー装置とを垂直に配置させる、ことを特徴とする測定工具。
【請求項２】
前記停止手段が前記ラインレーザー装置に位置する場合、前記隆起部は前記ラインレーザー装置の両側面の縁部の輪郭に沿って設置され、前記隆起部の角コーナーに丸角が設けられていることを特徴とする請求項１に記載の測定工具。 
【請求項３】
前記隆起部は前記ラインレーザー装置の両側面の軸方向の縁部の輪郭に沿って設置されていることを特徴とする請求項２に記載の測定工具。
【請求項４】
前記レンジファインダの軸方向の縁部に外側に向けてガイドレールが設けられ、前記隆起部が内側に向けて前記ガイドレールに適合するガイドレールの溝が設けられ、前記レンジファインダは前記ガイドレールの溝に沿って前記隆起部の間に滑り込むことを特徴とする請求項３に記載の測定工具。
【請求項５】
前記停止手段が前記レンジファインダに位置する場合、前記隆起部は前記レンジファインダの両側面の縁部の輪郭に沿って設置され、前記隆起部の角コーナーに丸角が設けられていることを特徴とする請求項１に記載の測定工具。
【請求項６】
前記隆起部は前記レンジファインダの両側面の軸方向の縁部の輪郭に沿って設置されていることを特徴とする請求項５に記載の測定工具。
【請求項７】
前記ラインレーザー装置の軸方向の縁部に外側に向けてガイドレールが設けられ、前記隆起部が内側に向けて前記ガイドレールに適合するガイドレールの溝が設けられ、前記ラインレーザー装置は前記ガイドレールの溝に沿って前記隆起部の間に滑り込むことを特徴とする請求項６に記載の測定工具。
【請求項８】
前記停止手段が前記ラインレーザー装置に位置する場合、前記切欠口の方向は前記ラインレーザー装置の径方向に平行して設置されることを特徴とする請求項１に記載の測定工具。
【請求項９】
前記ラインレーザー装置は、第１のレーザーモジュールと、レベリングモジュールと、を備え、
前記第１のレーザーモジュールは、前記ラインレーザー装置の出射面の一端に位置し、前記ラインレーザー装置の出射面に面して設置され、
前記レベリングモジュールは、前記ラインレーザー装置の出射面の反対端に位置する、
ことを特徴とする請求項１に記載の測定工具。
【発明の詳細な説明】
【技術分野】
【０００１】
本発明は、測定工具の技術分野に属し、特にコンパクトな携帯測定工具に関する。
【背景技術】
【０００２】
赤外線水準器、ラインレーザー装置、レーザーレンジファインダなどは、建築施工、工程エ監視、工程装飾及び家具装飾などの分野に広く使用されている。ラインレーザー装置は、レーザー墨出し器又はレーザー水準器と呼ばれる。ラインレーザー装置は、半導体レーザー器でビーム拡大によって形成された一本又は複数本の高輝度のレーザー光を利用するものであり、対象物上に投射されるレーザー光によってレーザーラインが形成され、ユーザは、レーザーラインに基づいて対象物を切断、アラインメント、または他の用途に用いることができる。レンジファインダは、レーザー光のあるパラメータを変調して目標の距離測定を実現するための装置である。測距方法に応じて位相法による測距器とパルス法による測距器に分けられ、パルス式レーザー測距器は、作動中にターゲットに１つのバンドル又は1つの配列の短パルスのレーザー光を出射し、光電素子によってターゲットから反射されたレーザービームを受信し、タイマによってレーザービームが出射から受信までの時間が計測され、観察者からターゲットまでの距離を算出する。位相法による測距器は、出射光と反射光が空間において伝搬するときに生じる位相差を検出することによって距離を測定するものである。レーザー測距器は、軽量、小容積、操作簡単であり、速度が速くかつ正確であり、誤差は、わずか他の光学的測距器の五分の一から約百パーセントである。現在、従来の建築施工現場では、ラインレーザー装置とレンジファインダと組み合わせて使用され、それぞれラインレーザー装置とレンジファインダを操作して墨出しと測距を実現するが、二つの装置がそれぞれ一定の容積を有するため、運搬及び配置の過程で不便が生じる。
【０００３】
したがって、両方をより便利に使用するために、本発明は、小型のラインレーザー装置と、小型のレンジファインダとを備える、コンパクトな携帯測定工具を提供し、両方は、それぞれの機能を実現するために単独で使用してもよく、互いに組み合わせても、互いに協働してもよく、レーザーレベリングを行うと同時に測距を行うため、利便性が予期しない効果を達成する。 
【発明の概要】
【発明が解決しようとする課題】
【０００４】
上記の技術的欠陥を克服するために、本発明の目的は、測定工具を提供することである。 
【課題を解決するための手段】
【０００５】
本発明は、ラインレーザー装置と、レンジファインダと、を備える測定工具を開示し、前記測定工具は、前記ラインレーザー装置と前記レンジファインダとのどちらかの上に位置し、前記ラインレーザー装置と前記レンジファインダとが重畳配置される停止手段を備える；
前記停止手段が前記ラインレーザー装置に位置する場合、前記停止手段は、前記ラインレーザー装置の両側面の縁部に位置する隆起部を備え、前記隆起部の間の距離は前記レンジファインダがその半径方向に沿った幅と同等であり、前記レンジファインダを前記隆起部の間に係合させる；
前記停止手段が前記レンジファインダに位置する場合、前記停止手段は、前記レンジファインダの両側面の縁部に位置する隆起部を備え、前記隆起部の間の距離は前記ラインレーザー装置がその半径方向に沿った幅と同等であり、前記ラインレーザー装置を前記隆起部の間に係合させる。 
【０００６】
好ましくは、前記停止手段が前記ラインレーザー装置に位置する場合、前記隆起部は前記ラインレーザー装置の両側面の縁部の輪郭に沿って設置され、前記隆起部の角コーナーに丸角が設けられている。 
【０００７】
好ましくは、前記隆起部は前記ラインレーザー装置の両側面の軸方向の縁部の輪郭に沿って設置されている。
【０００８】
好ましくは、前記レンジファインダの軸方向の縁部に外側に向けてガイドレールが設けられ、前記隆起部が内側に向けて前記ガイドレールに適合するガイドレールの溝が設けられ、前記レンジファインダは前記ガイドレールの溝に沿って前記隆起部の間に滑り込む。
【０００９】
好ましくは、前記停止手段が前記レンジファインダに位置する場合、前記隆起部は前記レンジファインダの両側面の縁部の輪郭に沿って設置され、前記隆起部の角コーナーに丸角が設けられている。
【００１０】
好ましくは、前記隆起部は前記レンジファインダの両側面の軸方向の縁部の輪郭に沿って設置されている。
【００１１】
好ましくは、前記ラインレーザー装置の軸方向の縁部に外側に向けてガイドレールが設けられ、前記隆起部が内側に向けて前記ガイドレールに適合するガイドレールの溝が設けられ、前記ラインレーザー装置は前記ガイドレールの溝に沿って前記隆起部の間に滑り込む。
【００１２】
好ましくは、前記停止手段が前記ラインレーザー装置に位置する場合、前記停止手段は、前記ラインレーザー装置の両側面の縁部に位置する、切欠口を有する隆起部を備え、前記切欠口の幅は前記レンジファインダがその半径方向に沿った幅と同等であり、前記レンジファインダが前記切欠口に収容され、前記レンジファインダと前記ラインレーザー装置とを垂直に配置させる；
前記停止手段が前記レンジファインダに位置する場合、前記停止手段は、前記レンジファインダの両側面の縁部に位置する、切欠口を有する隆起部を備え、前記切欠口の幅は前記ラインレーザー装置がその半径方向に沿った幅と同等であり、前記ラインレーザー装置が前記切欠口に収容され、前記レンジファインダと前記ラインレーザー装置とを垂直に配置させる。
【００１３】
好ましくは、前記停止手段が前記ラインレーザー装置に位置する場合、前記切欠口の方向は前記ラインレーザー装置の半径方向に平行して設置される。
【００１４】
好ましくは、前記ラインレーザー装置は、第１のレーザーモジュールと、レベリングモジュールと、を備える；
前記第１のレーザーモジュールは、前記ラインレーザー装置の出射面の一端に位置し、前記ラインレーザー装置の出射面に面して設置される；
前記レベリングモジュールは、前記ラインレーザー装置の出射面の反対端に位置する；
前記レンジファインダは、第２のレーザーモジュールと、レンジングモジュールと、デジタル表示モジュールとを備える；
前記第２のレーザーモジュールは、前記レンジファインダの出射面の一端に位置し、前記レンジファインダの出射面に面して設置される；
前記レンジングモジュールは、前記第２のレーザーモジュールの後に位置する；
前記デジタル表示モジュールは、前記レンジファインダのハウジングに位置する。
【発明の効果】
【００１５】
上記の技術的解決手段を用いて、従来技術と比較して、以下の利点を有する。
【００１６】
１．ラインレーザー装置とレンジファインダとのサイズは、市場での通常の製品より小さく、ポケットに入れて携帯することができ、小型で便利である。 
【００１７】
２．レンジファインダとラインレーザー装置とも、単独に使用することができ、それぞれのその基本的な機能を実現することができる。
【００１８】
３．レンジファインダとラインレーザー装置とも、組み合わせて使用することができ、レーザーレベリングを行うと同時に測距を行うため、利便性が予期しない結果を達成することができる。 
【図面の簡単な説明】
【００１９】
【図１】本発明に係るラインレーザー装置とレンジファインダとの組合使用方法の１つの好ましい実施形態の概略図である。
【図２】本発明に係るラインレーザー装置とレンジファインダとの組合使用方法の他の１つの好ましい実施形態の概略図である。
【図３】本発明に係るラインレーザー装置の１つの好ましい実施形態の内部構造の概略図である。
【図４】本発明に係るレンジファインダの１つの好ましい実施形態の内部構造の概略図である。
【図５】本発明に係るデジタル表示モジュールを備えるレンジファインダの１つの好ましい実施形態の内部構造の概略図である。
【発明を実施するための形態】
【００２０】
本発明の好ましい実施形態
次に、図面と具体的な実施例を併せて、本発明の利点を説明する。 
【００２１】
本発明は、ラインレーザー装置１１とレンジファインダ１２と、を備える測定工具１０を提供する。
【００２２】
図３に示しように、図３は本発明に係るラインレーザー装置の１つの好ましい実施形態の内部構造の概略図である。前記ラインレーザー装置１１は、第１の上部ハウジングと、第１の下部ハウジングと、第1のレーザーモジュール１１１、レベリングモジュール１１２と、第1のキーモジュール１１３と、第1の電源モジュール１１４と、を備える。前記第１のレーザーモジュール１１１は、前記第１の下部ハウジングのラインレーザー装置の出射面の一端に位置し、ラインレーザー装置の出射面に面して設置されている。前記レベリングモジュール１１２は、前記第１の下部ハウジングのラインレーザー装置の出射面の反対端に位置し、前記第１の上部ハウジングに面して設置されている。第1のキーモジュール１１３は、ラインレーザー装置１１の側面に位置し、もちろん、ラインレーザー装置のハウジングの任意の一面に設置してもよい。第1の電源モジュール１１４は、第1のレーザーモジュール１１１、レベリングモジュール１１２と第１の下部ハウジングとの間に位置されている。 
【００２３】
図４〜５に示すように、図４〜５は本発明に係るレンジファインダの１つの好ましい実施形態の内部構造の概略図である。前記レンジファインダは、第２の上部ハウジングと、第２の下部ハウジングと、支持具と、第２のレーザーモジュール１２１と、レンジングモジュール１２２と、デジタル表示モジュール１２３と、第２のキーモジュールと、第２の電源モジュール１２４と、を備える。前記第２のレーザーモジュール１２１は、前記支持具におけるレンジファインダの出射面の一端に位置し、前記レンジファインダの出射面に面して配置される。前記レンジングモジュール１２２は、前記支持具における前記第２のレーザーモジュール１２１の後に、前記第２のレーザーモジュール１２１と第２の電源モジュール１２４との間に位置する。前記デジタル表示モジュール１２３は、前記第２の上部ハウジングに位置する。第２のキーモジュールは、レンジファインダのハウジングの任意の一面に設置することができ、第２の電源モジュール１２４は、支持具におけるレンジングモジュール１２２の後に位置する。 
【００２４】
まず、上述した構成に基づいて、本発明が提供されたラインレーザー装置１１とレンジファインダ１２は、サイズ、体積、重量などの面において市場での通常の製品よりも小さく、ポケットに入れて携帯することができ、民用建築施工現場に使用されるに非常に適している。さらに、本発明が提供されたラインレーザー装置１１とレンジファインダ１２とも、立方体（直方体）の構成となり、パッケージングの便宜だけでなく、携帯にもより便利になる。 
【００２５】
次に、前記小型のレンジファインダ１２と小型のラインレーザー装置１１とも、単独で使用することができ、その基本的な機能を実現する。前記レンジファインダ１２は、小型、軽量、高集積化、高速で、操作しやすく、目に安全で、日常生活や生産に広く使用することができ、例えばフィールド狩り、ゴルフ穴までの測距、または屋内尺度の測定などのために用いる。
【００２６】
さらに重要なことは、前記小型のレンジファインダ１２と小型のラインレーザー装置１１を組み合わせて使用することができ、レーザーレベリングを行うと同時に測距を行うため、利便性が予期しない効果を達成する。また、本発明が提供されたラインレーザー装置１１とレンジファインダ１２とも、立方体（直方体）の構成となり、このような構造は取付により便利になり、協働して使用し易くなる。ラインレーザー装置１１とレンジファインダ１２は、サイズで互いに適合し、例えば、ラインレーザー装置１１の上下底面の幅はレンジファインダ１２の上下底面の幅と同等であり、ラインレーザー装置１１とレンジファインダ１２が上下に重畳配置される。ラインレーザー装置１１に停止手段が設置され、ラインレーザー装置１１とレンジファインダ１２が重畳配置され、ラインレーザー装置１１上の停止手段はレンジファインダ１２をラインレーザー装置１１の一方の側に固定され、又は、レンジファインダ１２上に停止手段が設置され、ラインレーザー装置１１とレンジファインダ１２が重畳配置され、レンジファインダ１２上の停止手段はラインレーザー装置１１をレンジファインダ１２の一方の側に固定されている。 
【００２７】
図1に示すように、ラインレーザー装置１１とレンジファインダ１２との組み合わせた第一実施形態では、一つの装置は他の装置の上方に配置され、且つハウジング上に特定の停止手段を有して二つの装置を平行に配置することを確実にし、レーザーの放射方向を同じにする。このように、動作において、ラインレーザー装置１１は壁面にレーザーレベリングを行うと同時に、レンジファインダ１２は動作点から壁面までの距離を測定することができる。 
【００２８】
好ましい実施形態では、停止手段は、ラインレーザー装置１１両側面の縁部に位置する隆起部１３を備え、２つの部分の突出した境界に類似し、前記隆起部１３との間の距離は前記レンジファインダ１２がその半径方向に沿った幅と相当し、前記レンジファインダ１２は前記隆起部１３の間に係合させる。このように、すぐにラインレーザー装置１１を正確な位置に配置させ、且つ配置後に隆起部１３内に位置して移動し難くなる。
【００２９】
本実施形態では、ラインレーザー装置１１とレンジファインダ１２とも立方体（直方体）の構成となり、ラインレーザー装置１１とレンジファインダ１２とは水平に配置され、且つ上下に重畳で、平行に配置され、レンジファインダ１２はラインレーザー装置１１の上方に配置されている。ラインレーザー装置１１とレンジファインダ１２とは、サイズで互いに適応し、ラインレーザー装置１１の上下の底面の幅はレンジファインダ１２の上下の底面の幅よりも若干大きく、且つラインレーザー装置１１の両側面の縁部に隆起部１３が配置され、隆起部１３の間の距離は、レンジファインダ１２がその半径方向に沿った幅と同等となるため、レンジファインダ１２が前記隆起部１３の間に係合して半径方向に移動し難くなる。
【００３０】
好ましい実施形態では、ラインレーザー装置１１の両側面の縁部の輪郭に沿ってすべて囲むように隆起部１３が二本設置され、且つ隆起部１３が長方体の８つの角コーナーを丸く処理する。 
【００３１】
他の好ましい実施形態では、隆起部１３はラインレーザー装置１１の両側面の縁部の輪郭のみに沿って設置され、長さは、丁度軸方向の縁部の輪郭と同等であってもよく、角コーナーを丸く処理する。もちろん、隆起部１３の設置は上記の２つに限定されるものではなく、軸方向の縁部の輪郭に沿って間隔を置いて配置されてもよく、例えば、均一に分布小さな部分となるよう設置され、両側面の軸方向の縁部の輪郭のみを沿って一部分を設置してもよい。ラインレーザー装置１１の両側面の縁部に隆起部１３が設置され、レンジファインダ１２の半径方向のシフトを制限するようにレンジファインダ１２を隆起部１３の間に係合させ、ラインレーザー装置１１の前後面の縁部に隆起部１３が設置されてもよく、レンジファインダ１２の軸方向の移動を制限するように隆起部１３が上記のいくつかの形態を参照して設置されてもよい。
【００３２】
好ましい実施形態では、上記隆起部１３を設置した上で、ラインレーザー装置１１の両側面の軸方向の縁部に設置された上記隆起部１３と対向して内側に向けてレール溝が設置され、レンジファインダ１２の軸方向の縁部に外側に向けて上記レール溝と互いに適応するガイドレールが設置され、このように、レンジファインダ１２が前記レール溝に沿って隆起部１３の間に滑り込む。 
【００３３】
ラインレーザー装置１１、レンジファインダ１２の上下位置は、上記位置に限定されるものではないと理解され、ラインレーザー装置１１の上下の底面の幅はレンジファインダ１２の上下の底面の幅よりも若干小さいよう設置してもよく、ラインレーザー装置１１をレンジファインダ１２の上方に配置され、ラインレーザー装置１１をレンジファインダ１２に係合する停止手段では、停止手段の形状、位置、構造も上記のいくつかの形態を参照し、ここでは重複して述べない。
【００３４】
図２に示すように、ラインレーザー装置１１とレンジファインダ１２の組み合わせにおける第二の実施形態では、一つの装置は、他の装置の上方に配置することができ、ハウジングに停止手段が設置され、且つハウジングに停止手段が設置されて二つの装置を垂直に配置することを確実にし、このように、動作において、ラインレーザー装置１１は壁面にレーザーレベリングを行うと同時に、レンジファインダ１２は動作点から左右壁面までの距離を測定することができ、例えばユーザが標的壁面に若干の距離ごとにポイントまたはラインのレーザーレベリングを行って参考として必要とする場合、すぐにこの組み合わせの形態で作業を完成することができる。
【００３５】
好ましい実施形態では、停止手段は、ラインレーザー装置１１の両側面の縁部に位置する切欠口１４を有する隆起部１３を備え、前記切欠口１４の幅はレンジファインダ１２の軸方向に沿った長さと同等となり、前記レンジファインダ１２を前記切欠口に収容させ、レンジファインダ１２とラインレーザー装置１１とを垂直に配置される。このように、すぐにラインレーザー装置１１を正確な位置に配置させ、且つ配置後に隆起部１３内に位置して移動し難くなる。
【００３６】
本実施形態では、ラインレーザー装置１１とレンジファインダ１２とも立方体（直方体）の構成となり、ラインレーザー装置１１とレンジファインダ１２とは水平に配置され、且つ上下に重畳で、平行に配置され、レンジファインダ１２はラインレーザー装置１１の上方に配置されている。ラインレーザー装置１１とレンジファインダ１２とは、サイズで互いに適応し、レンジファインダ１２の幅はラインレーザー装置１１の軸方向の長さよりも若干小さく、且つラインレーザー装置１１の両側面の縁部に切欠口１４を有する隆起部１３が配置され、隆起部１３の切欠口１４の間の距離は、レンジファインダ１２の高さと同等となるため、レンジファインダ１２が前記隆起部１３の切欠口１４の間に係合して移動し難くなる。
【００３７】
同様に、上記を参照してラインレーザー装置１１の両側面の縁部の輪郭に沿ってすべて囲むように隆起部１３が設置されてもよく、ラインレーザー装置１１の両側面の軸方向の縁部の輪郭のみに沿って隆起部１３が設置されてもよく、ラインレーザー装置１１の両側面の軸方向の縁部の輪郭に沿って隆起部１３が間隔に置いて設置されてもよく、例えば、均一に分布する若干小部分になるよう設置されてもよく、両側面の軸方向の縁部にのみ沿って小部分になるよう設置してもよく、隆起部１３の切欠口１４の幅はレンジファインダ１２の高さに等しくなればよい。
【００３８】
好ましい実施形態では、切欠口１４の方向はラインレーザー装置１１の半径方向に平行するよう配置されている。このように、レンジファインダ１２は垂直に配置され、ラインレーザー装置１１は水平に配置され、両方は上下を重畳して垂直に配置されるため、レーザー出射方向は互いに直交する。他の好ましい実施形態では、前記切欠口１４の方向と前記ラインレーザー装置１１の半径方向とは角度を形成するよう設置されている。このように、レンジファインダ１２は垂直に配置され、ラインレーザー装置１１は水平に配置され、両方は上下を重畳して角度を形成して配置されるため、レーザー出射方向は同様に角度を形成している。
【００３９】
また、ラインレーザー装置１１とレンジファインダ１２とは水平に配置され、両方が上下に重畳して互いに交差して配置され、レーザー出射方向は角度を形成しているよう設置してもよい。ラインレーザー装置１１の両側面の縁部に切欠口１４を有する隆起部１３が設置され、隆起部１３の切欠口１４の幅はレンジファインダ１２の幅に等しく、切欠口１４の方向と前記ラインレーザー装置１１の半径方向とは角度を形成するよう設置され、レンジファインダ１２は切欠口１４に収容されている。
【００４０】
好ましい実施形態では、測定工具１０は台座をさらに備え、前記ラインレーザー装置１１と前記台座との接続をねじことによって調整することができる。ラインレーザー装置１１の底部にねじ穴が設けられ、底部のねじに接続させ、作業面の水平に達成していない場合、台座を合わせて使用し、作業面を水平まで調整することができる。
【００４１】
好ましい実施形態では、前記ラインレーザー装置１１と前記レンジファインダ１２は、充電可能な電池を使用し、前記ラインレーザー装置１１と前記レンジファインダ１２には充電インターフェースを備えている。充電インターフェースは、ＵＳＢインターフェースであってもよく、ラインレーザー装置１１とレンジファインダ１２のレーザー出射面と対向する面に設置してもよい。 
【００４２】
留意すべきは、本発明の実施例は好ましい実施形態を有し、本発明を如何なる形式で制限するものではなく、当業者は上記に開示の技術的内容と同等の変化である等価の実施形態を変更または修飾することができる。本発明の技術的解決手段内容から逸脱せず、本発明の実質的技術に基づいて上記の実施形態を如何に修正、同等の変化と修飾は、依然として本発明の技術的解決手段の保護範囲に属する。
【符号の説明】
【００４３】
１０    測定工具
１１    ラインレーザー装置
１１１  第１のレーザーモジュール
１１２  レベリングモジュール
１１３  第１のキーモジュール
１１４  第１の電源モジュール
１２    レンジファインダ
１２１  第２のレーザーモジュール
１２２  レンジングモジュール
１２３  デジタル表示モジュール
１２４  第２の電源モジュール
１３    隆起部
１４    切欠口
【図１】
0006985429.tif 000002
【図２】
0006985429.tif 000003
【図３】
0006985429.tif 000004
【図４】
0006985429.tif 000005
【図５】
0006985429.tif 000006